【手続補正書】
【提出日】平成30年5月8日(2018.5.8)
【手続補正１】
【補正対象書類名】特許請求の範囲
【補正対象項目名】請求項１
【補正方法】変更
【補正の内容】
【請求項１】
燃料タンク（３）内において燃料ポンプ（２８）により汲み上げられた燃料を内燃機関（４）側へ向かって流通させる燃料流通通路（２９０）から、リターン通路（２９１）を通じて燃料を前記燃料タンク内へ逃がすことにより、前記燃料流通通路の燃料圧力（Ｐ１，Ｐ２，Ｐ３）を調整するプレッシャレギュレータ（２）であって、
前記燃料流通通路から分岐した燃料が流入する第一圧力室（２０１）と、
前記第一圧力室と隣り合っており、前記燃料流通通路から分岐した燃料が流入する第二圧力室（２０２）と、
前記第二圧力室と隣り合っており、前記燃料流通通路から分岐した燃料が流入する第三圧力室（２０３）と、
前記リターン通路に対して前記第一圧力室を開閉する弁部材（２０６）と、
前記第一圧力室と前記第二圧力室とを仕切っている状態で前記弁部材と連動する第一仕切部材（２０４）と、
前記第二圧力室と前記第三圧力室とを仕切っている状態で前記弁部材及び前記第一仕切部材と連動する第二仕切部材（２０５）と、
前記燃料流通通路に対する前記第二圧力室の開閉状態と前記リターン通路に対する前記第二圧力室の開閉状態とを互いに逆の開閉関係に切り替え、且つ前記燃料流通通路に対する前記第三圧力室の開閉状態と前記リターン通路に対する前記第三圧力室の開閉状態とを互いに逆の開閉関係に切り替えることにより、前記リターン通路に対する前記第二圧力室の開閉状態と前記リターン通路に対する前記第三圧力室の開閉状態とを互いに逆の開閉関係に切り替える切替ユニット（２２）とを、備えるプレッシャレギュレータ。
【手続補正２】
【補正対象書類名】特許請求の範囲
【補正対象項目名】請求項４
【補正方法】変更
【補正の内容】
【請求項４】
燃料タンク（３）内において燃料ポンプ（２８）により汲み上げられた燃料を内燃機関（４）側へ向かって流通させる燃料流通通路（２９０）から、リターン通路（２９１）を通じて燃料を前記燃料タンク内へ逃がすことにより、前記燃料流通通路の燃料圧力（Ｐ１，Ｐ２）を調整するプレッシャレギュレータ（２００２）であって、
前記燃料流通通路から分岐した燃料が流入する第一圧力室（２０１）と、
前記第一圧力室と隣り合っており、大気圧に開放されたままの第二圧力室（２０２）と、
前記第二圧力室と隣り合っており、前記燃料流通通路から分岐した燃料が流入する第三圧力室（２０３）と、
前記リターン通路に対して前記第一圧力室を開閉する弁部材（２０６）と、
前記第一圧力室と前記第二圧力室とを仕切っている状態で前記弁部材と連動する第一仕切部材（２０４）と、
前記第二圧力室と前記第三圧力室とを仕切っている状態で前記弁部材及び前記第一仕切部材と連動する第二仕切部材（２０５）と、
前記燃料流通通路に対する前記第三圧力室の開閉状態と前記リターン通路に対する前記第三圧力室の開閉状態とを互いに逆の開閉関係に切り替える切替ユニット（２０２２）とを、備えるプレッシャレギュレータ。
【手続補正３】
【補正対象書類名】特許請求の範囲
【補正対象項目名】請求項５
【補正方法】変更
【補正の内容】
【請求項５】
燃料タンク（３）内において燃料ポンプ（２８）により汲み上げられた燃料を内燃機関（４）側へ向かって流通させる燃料流通通路（２９０）から、リターン通路（２９１）を通じて燃料を前記燃料タンク内へ逃がすことにより、前記燃料流通通路の燃料圧力（Ｐ１，Ｐ２）を調整するプレッシャレギュレータ（３００２，４００２）であって、
前記燃料流通通路から分岐した燃料が流入する第一圧力室（２０１）と、
前記第一圧力室と隣り合っており、前記燃料流通通路から分岐した燃料が流入する第二圧力室（２０２）と、
前記第二圧力室と隣り合っており、大気圧に開放されたままの第三圧力室（２０３）と、
前記リターン通路に対して前記第一圧力室を開閉する弁部材（２０６）と、
前記第一圧力室と前記第二圧力室とを仕切っている状態で前記弁部材と連動する第一仕切部材（２０４，４２０４）と、
前記第二圧力室と前記第三圧力室とを仕切っている状態で前記弁部材及び前記第一仕切部材と連動する第二仕切部材（２０５，４２０５）と、
前記燃料流通通路に対する前記第二圧力室の開閉状態と前記リターン通路に対する前記第二圧力室の開閉状態とを互いに逆の開閉関係に切り替える切替ユニット（３０２２）とを、備えるプレッシャレギュレータ。
【手続補正４】
【補正対象書類名】明細書
【補正対象項目名】０００９
【補正方法】変更
【補正の内容】
【０００９】
上述の課題を解決するために開示された第一発明は、
燃料タンク（３）内において燃料ポンプ（２８）により汲み上げられた燃料を内燃機関（４）側へ向かって流通させる燃料流通通路（２９０）から、リターン通路（２９１）を通じて燃料を燃料タンク内へ逃がすことにより、燃料流通通路の燃料圧力（Ｐ１，Ｐ２，Ｐ３）を調整するプレッシャレギュレータ（２）であって、
燃料流通通路から分岐した燃料が流入する第一圧力室（２０１）と、
第一圧力室と隣り合っており、燃料流通通路から分岐した燃料が流入する第二圧力室（２０２）と、
第二圧力室と隣り合っており、燃料流通通路から分岐した燃料が流入する第三圧力室（２０３）と、
リターン通路に対して第一圧力室を開閉する弁部材（２０６）と、
第一圧力室と第二圧力室とを仕切っている状態で弁部材と連動する第一仕切部材（２０４）と、
第二圧力室と第三圧力室とを仕切っている状態で弁部材及び第一仕切部材と連動する第二仕切部材（２０５）と、
燃料流通通路に対する第二圧力室の開閉状態とリターン通路に対する第二圧力室の開閉状態とを互いに逆の開閉関係に切り替え、且つ燃料流通通路に対する第三圧力室の開閉状態とリターン通路に対する第三圧力室の開閉状態とを互いに逆の開閉関係に切り替えることにより、リターン通路に対する第二圧力室の開閉状態とリターン通路に対する第三圧力室の開閉状態とを互いに逆の開閉関係に切り替える切替ユニット（２２）とを、備える。
【手続補正５】
【補正対象書類名】明細書
【補正対象項目名】００１４
【補正方法】変更
【補正の内容】
【００１４】
また、上述の課題を解決するために開示された第二発明は、
燃料タンク（３）内において燃料ポンプ（２８）により汲み上げられた燃料を内燃機関（４）側へ向かって流通させる燃料流通通路（２９０）から、リターン通路（２９１）を通じて燃料を燃料タンク内へ逃がすことにより、燃料流通通路の燃料圧力（Ｐ１，Ｐ２）を調整するプレッシャレギュレータ（２００２）であって、
燃料流通通路から分岐した燃料が流入する第一圧力室（２０１）と、
第一圧力室と隣り合っており、大気圧に開放されたままの第二圧力室（２０２）と、
第二圧力室と隣り合っており、燃料流通通路から分岐した燃料が流入する第三圧力室（２０３）と、
リターン通路に対して第一圧力室を開閉する弁部材（２０６）と、
第一圧力室と第二圧力室とを仕切っている状態で弁部材と連動する第一仕切部材（２０４）と、
第二圧力室と第三圧力室とを仕切っている状態で弁部材及び第一仕切部材と連動する第二仕切部材（２０５）と、
燃料流通通路に対する第三圧力室の開閉状態とリターン通路に対する第三圧力室の開閉状態とを互いに逆の開閉関係に切り替える切替ユニット（２０２２）とを、備える。
【手続補正６】
【補正対象書類名】明細書
【補正対象項目名】００１８
【補正方法】変更
【補正の内容】
【００１８】
さらに、上述の課題を解決するために開示された第三発明は、
燃料タンク（３）内において燃料ポンプ（２８）により汲み上げられた燃料を内燃機関（４）側へ向かって流通させる燃料流通通路（２９０）から、リターン通路（２９１）を通じて燃料を燃料タンク内へ逃がすことにより、燃料流通通路の燃料圧力（Ｐ１，Ｐ２）を調整するプレッシャレギュレータ（３００２，４００２）であって、
燃料流通通路から分岐した燃料が流入する第一圧力室（２０１）と、
第一圧力室と隣り合っており、燃料流通通路から分岐した燃料が流入する第二圧力室（２０２）と、
第二圧力室と隣り合っており、大気圧に開放されたままの第三圧力室（２０３）と、
リターン通路に対して第一圧力室を開閉する弁部材（２０６）と、
第一圧力室と第二圧力室とを仕切っている状態で弁部材と連動する第一仕切部材（２０４，４２０４）と、
第二圧力室と第三圧力室とを仕切っている状態で弁部材及び第一仕切部材と連動する第二仕切部材（２０５，４２０５）と、
燃料流通通路に対する第二圧力室の開閉状態とリターン通路に対する第二圧力室の開閉状態とを互いに逆の開閉関係に切り替える切替ユニット（３０２２）とを、備える。